(57)【要約】【課題】  より多くの機種に使用でき、携帯しやすく、また災害時等にも役立つソーラー式の携帯電話機用充電器を提供する。【解決手段】  充電器１は、携帯可能なボディ２と、ボディ２に設けられたソーラー発電用のソーラーパネル３と、ボディ２に内蔵されソーラーパネル３で発電された電気を蓄える蓄電部４と、ボディ２に設けられ蓄電部４から電力を取り出すための出力端子を配置したソケット９と、ソケット９に着脱可能に挿し込まれるリード１８と、リード１８に接続される充電器側端子４０ａ，４２ａ，４４ａと、機種の異なる携帯電話機に適合する固有形状の電話機側端子４０ｂ，４２ｂ，４４ｂとが設けられた機種別コネクタ４０，４２，４４とを備える。機種別コネクタ４０，４２，４４が共通のリード１８に着脱可能なので、充電器１は、機種の異なる複数の携帯電話機に対応する。【選択図】  図２
2006087151.tif 000002
【特許請求の範囲】
【請求項１】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに設けられ、前記蓄電部から電力を取り出すための出力端子を配置したソケットと、
前記ソケットに接続される一方側に充電器側端子が設けられ、他方側には前記携帯電話機の充電端子部に適合する固有形状の電話機側端子が設けられた機種別コネクタとを備え、
前記機種別コネクタを前記ソケットから着脱可能に構成したことを特徴とする携帯電話機用充電器。
【請求項２】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに設けられ、前記蓄電部から電力を取り出すための出力端子を配置したソケットと、
前記ソケットに着脱可能に挿し込まれるリードと、
前記リードに接続される一方側に充電器側端子が設けられ、他方側には前記携帯電話機の充電端子部に適合する固有形状の電話機側端子が設けられた機種別コネクタとを備え、
前記機種別コネクタを共通の前記リードに着脱可能とし、前記充電端子部の形状が異なる複数の前記携帯電話機に対応させたことを特徴とする携帯電話機用充電器。
【請求項３】
前記ボディに開閉式の電池収容部が設けられ、その電池収容部に前記蓄電部を構成する二次電池が着脱可能に収容されている請求項１又は２記載の携帯電話機用充電器。
【請求項４】
前記ボディに内蔵され、前記蓄電部からの電力の供給を受けて非常用の音をスイッチ操作により発生させる非常音出力器をさらに備え、
前記ボディには前記非常音出力器が発する音を外部に取り出すための通気孔が形成されている請求項１ないし３のいずれか１項に記載の携帯電話機用充電器。
【請求項５】
前記ボディの端部に設けられ、そのボディ内の前記蓄電部から電力の供給を受けてスイッチ操作により発光する照明用の発光素子が設けられ、
前記非常音出力器の動作をオン・オフするスイッチの操作部と、前記発光素子への通電をオン・オフするスイッチの操作部とが兼用されている請求項４記載の携帯電話機用充電器。
【請求項６】
前記操作部は、前記ボディの側面に沿ってスライドするスライド式の操作部によって構成されている請求項５記載の携帯電話機用充電器。
【請求項７】
前記ソケットは、前記ボディに形成された凹部に前記出力端子を配置した構造を有し、そのソケットを構成する前記凹部に嵌め込まれるゴム材質のキャップを、前記ボディに取り付けた請求項１ないし６のいずれか１項に記載の携帯電話機用充電器。
【請求項８】
前記ソケットが形成された前記ボディの端面を開閉可能に被うカバーが、前記ボディの端部に回動可能に取り付けられ、該カバーが閉じられた状態ではそのカバーの外面とボディの外面とが連なって前記ソケットがカバーで被われ、該カバーが開放された状態では、前記ソケットが露出して前記コネクタ又は前記リードに接続可能となる請求項１ないし６のいずれか１項に記載の携帯電話機用充電器。
【請求項９】
交流を直流に整流する整流回路を設け、外部交流電源によって前記蓄電部の蓄電、並びに前記携帯電話機の充電池が充電されるようになっている請求項１ないし８のいずれか１項に記載の携帯電話機用充電器。
【請求項１０】
前記蓄電部の電圧を昇圧して出力する昇圧回路部を備え、
その昇圧回路部は、前記ソケットに前記リード又は前記機種別コネクタを挿し込むことにより動作状態となり、前記ソケットから前記リード又は前記機種別コネクタを離脱させたときは、前記動作状態よりも低消費電流の動作停止状態となるように構成されている請求項１ないし９のいずれか１項に記載の携帯電話機用充電器。
【請求項１１】
前記昇圧回路部は、インダクタの断続スイッチングに基づいて誘導電流を発生させるとともに、その誘導電流に基づくリップル電圧を外部直流の入力電圧に重畳させた形で出力するステップアップ回路部として構成され、
前記ソケットに前記リード又は前記機種別コネクタを挿し込むことにより、前記インダクタのスイッチングを担う昇圧ＤＣ・ＤＣ変換用制御ＩＣが前記スイッチング動作を行なう動作状態となる一方、
前記ソケットから前記リード又は前記機種別コネクタを離脱させたときは、前記昇圧ＤＣ・ＤＣ変換用制御ＩＣが低消費電力のスタンバイモードに切り換わるように構成されている請求項１０記載の携帯電話機用充電器。
【請求項１２】
前記照明スイッチがオンされて前記発光素子への通電が行なわれているときも、前記携帯電話機への充電が継続される請求項４記載の携帯電話機用充電器。
【請求項１３】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記蓄電部の電圧を昇圧して出力するように構成され、前記ソケットに前記携帯電話機又は前記電気接続部品を挿し込むことにより動作状態となり、前記ソケットから前記携帯電話機又は前記電気接続部品を離脱させたときは、前記動作状態よりも低消費電流の動作停止状態となる昇圧回路部を含む充電回路と、
を備えたことを特徴とする携帯電話機用充電器。
【請求項１４】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記携帯電話機の充電端子部に適合するように前記ボディに形成されたコネクタ部と、
前記蓄電部の電圧を昇圧して出力するように構成され、前記コネクタ部に前記携帯電話機を直接接続することにより動作状態となり、前記コネクタ部から前記携帯電話機を離脱させたときは、前記動作状態よりも低消費電流の動作停止状態となる昇圧回路部を含む充電回路と、
を備えたことを特徴とする携帯電話機用充電器。
【発明の詳細な説明】
【技術分野】
【０００１】
この発明は、携帯電話機の充電池が消耗したときに携帯電話機に接続されてその充電池に電気を充電する携帯電話機用充電器に関する。
【背景技術】
【０００２】
従来、携帯電話機の充電池が消耗した場合に、定期的に家庭等で携帯電話機に充電して通話できるようにしている。そのような充電器の一種として、ソーラーパネルを備えた太陽光発電で得た電気を、携帯電話機に充電するものが提案されている。携帯電話機は多くの電機メーカから販売されているため、こうしたソーラー式充電器も、各メーカに対応したものが用意されている。
【特許文献１】特開２００１−３２７０９８号公報
【発明の開示】
【発明が解決しようとする課題】
【０００３】
ところで、昨今の携帯電話機は、新機種の市場投入サイクルが益々短縮化してきている。そのため、わずか１年足らずで新機種に買い替えるというユーザも少なくない。また、本体の買い替えとともに、電話会社を移るケースもある。
【０００４】
すると、以前の機種で使用していたソーラー式充電器が、新しい電話機には使用できないというケースが出てくる。機種変更等の度に、ソーラー式充電器を新たに購入するのは、ユーザにとって負担である。結局、このことが原因で購買意欲が失せる。また、ソーラー式充電器を提供する側としては、機種別・電話会社別の型式を揃える必要があるので、量産効果を上げづらい。
【０００５】
本発明は、より多くの機種に使用でき、携帯しやすく、また災害時等にも役立つソーラー式の携帯電話機用充電器を提供することを課題とする。また、蓄電部の放電が小さく、太陽光発電で得た電力が無駄になりにくい携帯電話機用充電器を提供する。
【課題を解決するための手段及び発明の効果】
【０００６】
上記課題を解決するために本発明の携帯電話機用充電器は、携帯電話機の充電池が消耗したときに携帯電話機に接続されて該充電池に電気を充電する携帯電話機用充電器であって、携帯可能なボディと、ボディに設けられたソーラー発電用のソーラーパネルと、ボディに内蔵され、ソーラーパネルで発電された電気を蓄える蓄電部と、ボディに設けられ蓄電部から電力を取り出すための出力端子を配置したソケットと、ソケットに接続される一方側に充電器側端子が設けられ、他方側には携帯電話機の充電端子部に適合する固有形状の電話機側端子が設けられた機種別コネクタとを備え、機種別コネクタをソケットから着脱可能に構成したことを主要な特徴とする。
【０００７】
このような充電器であれば、携帯電話機のコネクタ部に接続して、携帯電話機の充電池に電気を充電することができ、かつ持ち運びも簡単である。この充電器自体が蓄電部（充電池）であるから、太陽光又は明るい所にしばらくおけば、電源の確保や乾電池補充の心配がなく、太陽光（ソーラー）発電により無償で蓄電され、経済的であり、かつ環境を汚すこともなく好ましい。そして、機種別コネクタを着脱可能としたので、携帯電話機の機種変更等を行なった場合でも、機種別コネクタのみを交換するだけで本体部分はそのまま使えるようになり、ユーザにとっては非常に経済的である。また、本体部分は共通なので、機種別コネクタのみを別途製造すればよくなり、製造コスト低減に資する。
【０００８】
また、ボディにメス型のソケットを設け、そのソケットにリードの一端を挿し込み、そのリードの他端に機種別コネクタを挿し込むような形態としてもよい。メス型のソケットは、ボディの凹部に出力端子（電源／グランド）を配置した形態とすることができる。機種別コネクタは、リードに接続されて充電器側となる充電器側端子と、携帯電話機の充電端子部に適合する固有形状の電話機側端子とを備えるものとすることができる。すなわち、図２に示すごとく、可撓性を有するリード１８を介して携帯電話機に充電を行なうようにすれば、屋外等の座りが悪いところに携帯電話機や本充電器を設置した状態でも、コネクタ部分の接触状態を良好に保ちやすい。また、機種別コネクタを着脱するときにも、ソケット部分等にストレスが懸かることを防止でき、耐久性の面でも優れる。
【０００９】
また、ボディに開閉式の電池収容部が設け、その電池収容部に蓄電部を構成する二次電池を着脱可能に収容することができる。
【００１０】
また、ボディに内蔵され、蓄電部からの電力の供給を受けて非常用の音をスイッチ操作により発生させる非常音出力器をさらに備えることができる。この場合、ボディに非常音出力器が発する音を外部に取り出すための通気孔が形成するとよい。
【００１１】
また、ボディの端部に設けられ、そのボディ内の蓄電部から電力の供給を受けてスイッチ操作により発光する照明用の発光素子を設けることができる。この場合、非常音出力器の動作をオン・オフするスイッチの操作部と、発光素子への通電をオン・オフするスイッチの操作部とを兼用させるとよい。
【００１２】
また、上記した操作部は、ボディの側面に沿ってスライドするスライド式の操作部によって構成することができる。
【００１３】
また、上記したソケットは、ボディに形成された凹部に出力端子を配置した構造を有するものとすることができる。この場合、そのソケットを構成する凹部に嵌め込まれるゴム材質のキャップをボディに取り付けておくとよい。
【００１４】
また、ソケットが形成されたボディの端面を開閉可能に被うカバーを、ボディの端部に回動可能に取り付け、該カバーが閉じられた状態ではそのカバーの外面とボディの外面とが連なってソケットがカバーで被われ、該カバーが開放された状態では、ソケットが露出してコネクタ又はリードに接続可能となるようにするとよい。
【００１５】
また、交流を直流に整流する整流回路を設け、外部交流電源によって蓄電部の蓄電、並びに携帯電話機の充電池が充電されるようにするとよい。
【００１６】
他の局面において、本発明の携帯電話機用充電器は、携帯電話機の充電池が消耗したときに携帯電話機に接続されて該充電池に電気を充電する携帯電話機用充電器であって、携帯可能なボディと、ボディに設けられたソーラー発電用のソーラーパネルと、ボディに内蔵され、ソーラーパネルで発電された電気を蓄える蓄電部と、ボディに形成されて携帯電話機の充電用の端子部が着脱可能に挿し込まれ、又は蓄電部と携帯電話機の充電池とを接続する電気接続部品が着脱可能に挿し込まれるソケットと、蓄電部の電圧を昇圧して出力するように構成され、ソケットに携帯電話機又は電気接続部品を挿し込むことにより動作状態となり、ソケットから携帯電話機又は電気接続部品を離脱させたときは、動作状態よりも低消費電流の動作停止状態となる昇圧回路部を含む充電回路と、を備えたことを主要な特徴とする。
【００１７】
上記本発明によれば、ソケットへの接続電気部品（例えばリード）の抜き差しによって、昇圧回路部の動作状態と、動作停止状態とを切り替えるようにしている。ソケットから接続電気部品を外せば、昇圧回路部が動作停止するので、蓄電部の放電が効果的に抑制される。他方、接続電気部品をソケットから抜けば自然に蓄電部の放電抑制モードとなる。すなわち、使用時と非使用時との切替スイッチをソケット及び接続電気部品で構成した形である。このような構成によれば、ユーザがいちいち気を使わずとも、非使用時には蓄電部の放電抑制がなされるのでよい。蓄電部の放電抑制が対策されることにより、せっかく蓄電部に蓄電した電力を浪費せずに済む。また、本充電器を使用するときも、接続電気部品をソケットに挿し込むと同時に昇圧回路部が動作状態となるから、ユーザは何ら操作を必要とせず、非常に使い勝手のよい充電器となり得る。
【００１８】
上記と同様の利点は、次のような構成の充電器でも得ることができる。すなわち、本発明は、携帯電話機の充電池が消耗したときに携帯電話機に接続されて該充電池に電気を充電する携帯電話機用充電器であって、携帯可能なボディと、ボディに設けられたソーラー発電用のソーラーパネルと、ボディに内蔵され、ソーラーパネルで発電された電気を蓄える蓄電部と、携帯電話機の充電端子部に適合するようにボディに形成されたコネクタ部と、蓄電部の電圧を昇圧して出力するように構成され、コネクタ部に携帯電話機を直接接続することにより動作状態となり、コネクタ部から携帯電話機を離脱させたときは、動作状態よりも低消費電流の動作停止状態となる昇圧回路部を含む充電回路とを備えたことを主要な特徴とする。
【００１９】
他の局面において、本発明の携帯電話機用充電器は、携帯電話機の充電池が消耗したときに携帯電話機に接続されて該充電池に電気を充電する携帯電話機用充電器であって、携帯可能なボディと、ボディに設けられたソーラー発電用のソーラーパネルと、ボディに内蔵され、前記ソーラーパネルで発電された電気を蓄える蓄電部と、携帯電話機の充電端子部に直接又は他の電気接続部品を介して接続されて蓄電部の電気を携帯電話機の充電池に充電するコネクタ部と、蓄電部から電力の供給を受けて発光する照明用の発光素子と、ボディに設けられてその照明用の発光素子への通電をオン・オフするスイッチと、蓄電部の蓄電量が閾値以下となった場合に限り点灯する充電適否表示用の発光素子と、照明用の発光素子と充電適否表示用の発光素子とが蓄電部に対して並列に接続されるとともに、充電適否表示用の発光素子の通電経路には蓄電部の電圧が閾値以下となったときにオンするトランジスタが配置された照明回路部とを備え、照明用の発光素子への通電をオン・オフするスイッチが充電適否表示用の発光素子への通電をオン・オフするスイッチに兼用されていることを主要な特徴とする。
【発明を実施するための最良の形態】
【００２０】
以下、この発明の実施の形態を、図面に示す実施例に基づき説明する。  
図１に示す携帯電話用充電器１は、携帯電話機の充電池が消耗したときに携帯電話機に接続されて該充電池に電気を充電する携帯電話機用充電器である。
【００２１】
この充電器１は、携帯電話機とほぼ同程度の大きさを有する携帯可能なボディ２と、ボディ２の表面のほぼ全面を被うように設けられたソーラー発電用のソーラーパネル３と、ボディ２に内蔵され、ソーラーパネル３で発電された電気を蓄える蓄電部４（図４参照）と、ボディ２の一端部に設けられ、そのボディ２内の蓄電部４から電力供給を受けて発光する照明用の発光素子５（この例ではＲＧＢ３色の各発光ダイオードを組み合わせて白色光又は白色光に近い光を発光する発光ダイオード（以下、照明ＬＥＤという））と、ボディ２に設けられてその照明ＬＥＤ５への通電をオン・オフするスイッチの操作部１２とを備えている。
【００２２】
また、図２に示すごとく、充電器１は、リード１８とコネクタ４０，４２，４４を含むものとして構成される。ボディ２の照明ＬＥＤ５が配置されている側とは反対側の端部には、蓄電部４から電力を取り出すための出力端子（電源端子、グランド端子及びＩＣ制御用端子（詳細は後述する））がある。その出力端子は、ボディ２の凹部内に配置されて、メス型のソケット９を構成している。このソケット９には、可撓性を有するリード１８を介して、製造メーカや電話会社の異なる携帯電話機に適合する機種別コネクタ４０，４２，４４が接続される。ソーラーパネル３で発電されてボディ２内の蓄電部４に蓄電された電力は、図３に示すように、ソケット９、リード１８及び機種別コネクタ４０（，４２，４４）を介して携帯電話機７の充電池に充電される。
【００２３】
図１に示すごとく、ボディ２は、正面視及び背面視で縦長の長方形状（ただし角部はアール（丸み）が付けられている）をなし、その横断面における外殻及び厚みは、扁平なほぼ長方形状をなしている。ソケット９は、ボディ２の照明ＬＥＤ５とは反対側の端部に位置する。
【００２４】
図２に示すごとく、リード１８は、充電器１のソケット９に挿し込む側にオス型の接続端子１８ａを有し、機種別ソケット４０，４２，４４を挿し込む側がメス型のコネクタ接続端子１８ｂとなっている。一方、機種別コネクタ４０，４２，４４は、リード９に接続される充電器側端子４０ａ，４２ａ，４４ａと、携帯電話機に接続される電話機側端子４０ｂ，４２ｂ，４４ｂとを備える。充電器側端子４０ａ，４２ａ，４４ａは、全ての機種別コネクタ４０，４２，４４に共通の構造・形状である。電話機側端子４０ｂ，４２ｂ，４４ｂは、個々の携帯電話機に適合する固有の構造・形状となっている。
【００２５】
機種別コネクタ４０，４２，４４は、リード１８の電話機側端子４０ｂ，４２ｂ，４４ｂに着脱可能とされる。ボディ２を含む本体部分及びリード１８は、携帯電話機の機種変更等があっても共通に使用できる部品である。そのため、充電端子部分の構造がどのような形状の携帯電話機であっても、機種別コネクタ４０，４２，４４の交換のみで対応できるようになっている。また、リード１８自体も、ボディ２のソケット９に着脱可能となっている。
【００２６】
充電器１は、ボディ２の端部に形成されたソケット９を開閉可能に被うカバー１０を備えている。カバー１０はほぼ半円状をなし、ボディ２の端部に回動可能に取り付けられ、カバー１０が閉じられた状態では、そのカバー２の外面とボディ２の外面とが連なって意匠的に一体となる。リード１８をソケット９から外せば、カバー１０を閉じてソケット９の部分を保護できるようになっている。その状態であれば、全体としてすっきりとした形となる。
【００２７】
カバー１０は常に開方向に付勢されており、例えばその回動支点である蝶番部に弾性部材としてカバー１０を開方向へ付勢する所定のばね（ねじりばね等）が設けられ、又はその蝶番部にボディ２と一体的に樹脂成形された弾性片部が形成され、ここにばねの機能をもたせて、カバー２を常に開方向へ付勢することができる。なお、カバー１０の内側のスペースに、リード１８や機種別コネクタ４０，４２，４４を収納するための収納構造を設ければ、リード１８等を本体部と一体に持ち運びできるようになり、非常に便利である。また、リード１８や機種別コネクタ４０，４２，４４のみが紛失するといった心配もなくなる。
【００２８】
なお、詳細は回路の説明のところで言及するが、本発明では、携帯電話機で一般的なリチウム二次電池の充電に必要な一定電圧を、ステップアップＤＣ・ＤＣ変換回路にて生成するようにしている。ステップアップＤＣ・ＤＣ変換回路には、昇圧ＤＣ・ＤＣ変換用制御ＩＣを使用している。そして、蓄電部４の消耗を抑えるために、ソケット９にリード１８を挿し込んでない状態では昇圧ＤＣ・ＤＣ変換用制御ＩＣが超低消費電力のスタンバイモードになり、ソケット９にリード１８を挿し込むことによって、昇圧ＤＣ・ＤＣ変換用制御ＩＣが動作を開始するようにしている。
【００２９】
また、図２の実施形態では、リード１８を介して機種別コネクタ４０，４２，４４とソケット９とを接続するようにしたが、機種別コネクタ４０，４２，４４をソケット９に直接挿し込むような実施形態も考え得る。ただし、図２及び図３に示すごとく、リード１８を介するようにすれば、例えば岩場のような座りの悪い場所に充電器１や携帯電話機７を置いて充電を行なうときにも、端子部分の接触不良の心配をせずに済む。また、自動車のように振動等がある場所で充電を行なうときにも、接触が悪くなったりしないので好適である。
【００３０】
次に、図４に示すのは、充電器１の裏面図である。裏面は、ソーラーパネル３が配置されていない側の面である。ボディ２の内部には、開閉式の電池収容部２ｋが設けられており、その電池収容部２ｋに単三型のニッケル水素二次電池４，４が２つ、着脱可能に収容されている。ニッケル水素二次電池４，４は、ソーラーパネル３で発電した電力を蓄える蓄電部４としての働きを持つ。もちろん、ニッケル水素二次電池の代わりに、ニッケルカドミウム電池等の他の二次電池を使用してもよい。
【００３１】
ニッケル水素二次電池４，４を収容する電池収容部２ｋは、ボディ２から着脱可能なスライド式の電池カバー２ａで蓋がされるようになっている。また、図４のように電池カバー２ａを開くことにより、ニッケル水素二次電池４，４を電池収容部２ｋ（電池ケース）から取り出すことが可能である。そして、代わりに市販のマンガン乾電池等の一次電池を収容すれば、その乾電池によっても携帯電話機７の充電を行なうことが可能となる。したがって、ニッケル水素二次電池４，４の蓄電が不十分なときでも、乾電池さえ手に入れば、本充電器１を用いて携帯電話機７の充電が可能となる。なお、電池収容部２ｋには乾電池のみを収容するようにし、蓄電部４をボディ２内の電池収容部２ｋとは別位置に固定する構造も実施可能である。
【００３２】
また、図４に示すごとく、裏面のほぼ中央あたりには、ボディ２の内外を貫通する通気孔２ｐが形成されている。この通気孔２ｐは、ボディ２に内蔵されたブザー４６（非常音出力器）が発する非常音を、ボディ２の外側に取り出すためのものである。ブザー４６は、蓄電部４からの給電によって作動するものであり、例えば防犯用途として威力を発揮する。
【００３３】
ブザー４６の動作をオン・オフするスイッチの操作部は、前述した照明ＬＥＤ５への通電をオン・オフするスイッチの操作部１２に兼用させてある。これにより、部品点数を減じるとともに、組立の手間を省略している。具体的には、図１等に示すごとく、ブザー４６と照明ＬＥＤ５に兼用の操作部１２は、ボディ２の側面に沿ってスライドするスライド式操作部として構成されている。操作部１２は、ボディ２の側面（最外面）から突出しないように、又はその突出量を小さくするように、ボディ２の側面に形成された浅い凹部１２ａ内に収まる形で配置されている。操作部１２は、ブザー４６をオンする位置、ＬＥＤ５をオンする位置及び両方オフする位置のいずれかに位置することとなる。本実施形態では、ソケット９の側にスライドさせたらブザー４６が鳴り、照明ＬＥＤ５の側にスライドさせたら照明ＬＥＤ５が発光し、それらの中間位置で両方がオフという構成を採用している。
【００３４】
また、図４に示すごとく、ボディ２の裏面の余ったスペースには、広告表示用の広告表示面１５が形成されている。この広告表示面１５は、主にこの充電器１の製造者・販売者以外の者（他人）のために、その広告表示面１５をいわば広告看板にように第三者にスペース貸しする広告媒体の機能を有する。例えば広告表示面１５に広告シール（ＸＹＺ−△）を貼ったり、所定の印刷を施したり、あるいはボディ２の樹脂成形において広告を刻印したり、各種の広告表示が可能である。このようにすることで、この充電器１が一層多機能な媒体となる。
【００３５】
また、図１等に示す実施形態で設けていたカバー１０を廃することも可能である。すなわち、図７に示すごとく、カバー１０の部分をそっくり取り除いた充電器１’も採用し得る。このような構成によれば、カバー１０を設けずに済むので、部品点数減によるコスト低減効果がある。また、ボディ２’の大きさも小さくなって、持ち運びにいっそう便利となる。また、ソケット９が常時露出とならないように、ソケット９を構成する凹部にゴム材質のキャップ２４を嵌め込むようにすると、ソケット９の保護になって好ましい。キャップ２４は、ソケット９を覆い隠す非使用時位置と、ソケット９を露出させる使用時位置との２位置を往復可能となるように、ソケット９が設けられたボディ２の端面２ｑに固定する。そうすれば、紛失の恐れもない。
【００３６】
また、図５に示すように、照明ＬＥＤ５は、ボディ２の端面から突出しないように、ボディ２の端面の中央部に形成された半球面状の凹部５ａの中心部に配置され、その照明ＬＥＤ５の先端は、ボディ２の端面とぼぼ同一面上か、それより低い位置に引っ込んでおり、それにより照明ＬＥＤ５が保護されている。
【００３７】
さらに図６に示すように、ボディ２の上記カバー１０とは反対側の端部近傍ににおけるボディ２の側面には、ストラップ掛け１４が形成されている。ストラップ掛け１４は、ボディ２の側面とほぼ同一面上に外面が位置し、その周囲に形成された凹部１４ｂから浮き上がった形態で、ボディ２と一体に樹脂で形成されており、その凹部１４ｂとストラップ掛け１４の間に、ストラップ（ひも部材）１４ａを通して、そのストラップ１４ａで吊り下げてこの充電器１を携帯できるようになっている。カバー１０とは反対側にストラップ掛け１４があることにより、吊下げ状態でカバー１０が下側になって、雨等に対してソケット９が保護されやすくなる。
【００３８】
次に、充電器１の回路構成を説明する。
図８のブロック図に示すごとく、充電器１の電気回路１００は、ボディ２の表面に配置されたソーラーパネル３を含む。ソーラーパネル３は、太陽光エネルギーを電気エネルギーに変換する光電変換部１６を備える。また、その光電変換部１６で得られる電気を蓄える蓄電部４（ニッケル水素二次電池）が設けられおり、その蓄電部４からソケット９、照明ＬＥＤ５及びブザー４６に通じる回路が構成されている。蓄電部４から照明ＬＥＤ５又はブザー４６に通じる回路には、蓄電部４から照明ＬＥＤ５又はブザー４６への通電をオン・オフするスイッチ１７が設けられている。このスイッチ１７を操作する操作部１２を一方にスライドさせると、蓄電部４からの電流で照明ＬＥＤ５が発光（点灯）する。また、操作部１２を逆方向にスライドさせると、蓄電部４からの電流でブザー４６が鳴る。
【００３９】
図９は、ボディ２の内部に設けられた電気回路１００の詳細図である。こうした電気回路１００は、プリント基板を用いて組まれ、そのプリント基板ごとボディ２の内部に配置される。基本的には、ステップアップ回路によって電源電圧（蓄電部４の）を一定電圧まで昇圧し、照明ＬＥＤ５及び携帯電話機に給電する仕組みが採用されている。
【００４０】
図９に示すように、ソーラーパネル３の光電変換部１６と、蓄電部４が並列に配置されている。光電変換部１６で得られた電力は、ショットキーバリアダイオードＤ１を介して、蓄電部４に蓄電される。光電変換部１６は、単結晶シリコン太陽電池、ポリシリコン太陽電池、ＧａＡｓ太陽電池等で構成されるものである。
【００４１】
また、蓄電部４と並列に外部電源（ＤＣ＿ＩＮＰＵＴ）を接続することも可能である。例えば、図１０に示すごとく、ダイオードブリッジ３０及び平滑化コンデンサ３１を設け、ＡＣアダプタをダイオードブリッジ３０の入力側に接続するためのＡＣ入力端子３３を設ける。そのＡＣ入力端子３３は、図６に示すごとく、例えばボディ２の側面に設けることができる。このようにすれば、家庭用コンセントから蓄電部４に蓄電を行なうこと、さらには家庭用コンセントから本充電器１を介して携帯電話機に充電を行なうことが可能になり、ひいては本充電器１の使用機会が増える。
【００４２】
なお、平滑化コンデンサ３１のみではリップルのある出力波形となるかもしれないが、携帯電話機の充電に支障は無い。なぜなら、ステップアップ回路部１００ａ（図９参照）の平滑化コンデンサＣ３，Ｃ４が十分に働いて、携帯電話機側には常に安定して一定電圧が供給されるからである。なお、蓄電部４を回路に組み込んだまま、外部電源として市販の乾電池（一次電池）を接続できるようにしてもよいことは、図４のところで述べた通りである。
【００４３】
図９に戻って説明を続ける。蓄電部４と、出力端子（ＯＵＴＰＵＴ：ソケット９）との間には、蓄電部４からの入力電圧を昇圧して出力するステップアップ回路部１００ａが設けられている。昨今の携帯電話機のほとんどはリチウムイオン二次電池を使用している。リチウムイオン二次電池は、電極材等にもよるが、充電電圧を４．５Ｖ前後とした定電圧充電が一般的である。一方、本発明のような充電器１の蓄電部４には、安全性確保、耐久性、コスト等の総合的観点から、ニッケル水素二次電池の使用が推奨されるが、その起電力は約１．２Ｖと低い。そこで、本実施形態では、単三型のニッケル水素二次電池を直列で繋ぎ、さらに、ステップアップ回路部１００ａ（昇圧回路部）にて昇圧するようにしている。この構成によれば、入力電圧レベルが多少変動したり、あるいは比較的大きなリップルが形成されたりしている場合でも、ほとんどその影響を受けることなく一定電圧に変換できる利点がある。
【００４４】
ステップアップ回路部１００ａは、インダクタＬ１（チョークコイル）の分岐直流入力の断続スイッチングに基づいて誘導電流を発生させるとともに、その誘導電流に基づくリップル電圧を外部直流の入力電圧に重畳させた形で出力するものである。出力経路と並列接続されたコンデンサＣ３，Ｃ４及びショットキーバリアダイオードＤ３は、インダクタＬ１からの出力電圧を整流及び平滑化することにより外部直流よりも昇圧された直流を生成し、これを駆動源直流として出力するためのものである。
【００４５】
この回路の動作は、基本的には、ＰＷＭ制御型の昇圧ＤＣ・ＤＣ変換用制御ＩＣ３２（レギュレータ）により、一定周波数で断続スイッチングされる電流をインダクタＬ１に導き、その誘導電流による電圧波形を入力電圧に重畳させた後平滑化を行なうことで、入力電圧よりも高電圧の直流を発生させる、一般的なステップアップ回路と同一の原理によっている。インダクタＬ１の誘導電流による電圧成分は交流波形であり、これを整流・平滑化したときの電圧レベルが、ステップアップによる電圧増分となる。また、ショットキーバリアダイオードＤ３は、スイッチングがオフされるときのインダクタＬ１に向けたフライバック電流を遮断する役割も果たす。また、トランジスタＱ１のベースと、昇圧ＤＣ・ＤＣ変換用制御ＩＣ３２のトランジスタ接続用端子ＥＸＴとの間に、抵抗Ｒ１を配置し、それと並列にスイッチングの追従性を高めるコンデンサＣ２を接続している。
【００４６】
また、出力電圧は昇圧ＤＣ・ＤＣ変換用制御ＩＣ３２のＶｏｕｔ端子にフィードバックされる。これを予め設定された基準電圧と比較することにより、一定の出力電圧が得られるようにトランジスタＱ１がスイッチングされる。
【００４７】
図９に示すごとく、ステップアップ回路部１００ａの出力端子、グランド端子及びトランジスタＱ２のベースに接続されたＩＣ制御用端子（ＧＮＤ−Ｓ（第三の端子））の３端子によって、図２等で示したソケット９が構成される。つまり、ステップアップ回路部１００ａのトランジスタＱ２は、昇圧ＤＣ・ＤＣ変換用制御ＩＣ３２の動作モードを切り替えるためのスイッチの役割を担う。ソケット９が開放した状態（リード１８を挿し込んでいない状態）において、トランジスタＱ２は、蓄電部４によって駆動されてオン状態となる。この状態においては、コンデンサＣ５に電荷が蓄積されず、昇圧ＤＣ・ＤＣ変換用制御ＩＣ３２のチップイネーブル端子ＣＥがほぼ接地電位となり非アクティブになる。これにより、昇圧ＤＣ・ＤＣ変換用制御ＩＣ３２が低消費電流の動作停止状態を保持する。
【００４８】
一方、ソケット９にリード１８を挿し込むと、ＩＣ制御用端子ＧＮＤ−Ｓが隣のグランド端子と短絡する。すると、トランジスタＱ２はベースが接地されてオフに切り替わり、抵抗Ｒ２を介してコンデンサＣ５に電荷が蓄えられる。これにより、チップイネーブル端子ＣＥに十分高い電圧（コンデンサＣ５の両端電圧）が懸かってアクティブに切り替わり、昇圧ＤＣ・ＤＣ変換用制御ＩＣ３２はトランジスタＱ１のスイッチング制御を行なう動作状態に変化する。つまり、ソケット９へのリード１８の抜き差しによって、ステップアップ回路部１００ａの動作状態と、動作停止状態とを切り替えるようにしている。ソケット９からリード１８を外せば、ステップアップ回路部１００ａが動作停止するので、蓄電部４の放電が効果的に抑制される。リード１８を抜けば自然に蓄電部４の放電抑制モードとなるので、ユーザがいちいち気を使わずに済む。
【００４９】
なお、ソケット９は、図１１に示すような３端子構造とすることができる。すなわち、ソケット９を構成するボディ２の円形凹部９ａ内に、電源端子９ｑ、グランド端子９ｐ及びＩＣ制御用端子９ｒの３端子を設ける。前述したように、ＩＣ制御用端子９ｒは、昇圧ＤＣ・ＤＣ変換用制御ＩＣ３２の動作状態を制御するトランジスタＱ２のベースに繋がっている。また、リード１８は、ソケット９に挿し込んだときにグランド端子９ｐとＩＣ制御用端子９ｒとを短絡させるような構造を持てばよい。なお、リード１８の代わりに、機種別コネクタ４０，４２，４４を直接にソケット９に嵌め込むようにする場合は、それら機種別コネクタ４０，４２，４４も、リード１８と同様の構造とする。
【００５０】
上記のような知見によれば、図１３に示すような充電器１’’も実施し得る。すなわち、充電器１’’は、携帯電話機７の充電端子部８に適合するコネクタ部９’を、ボディ２に固定的に設けたものである。このコネクタ部９’に携帯電話機７を挿し込んだら、図９中のトランジスタＱ２がオフになって昇圧ＤＣ・ＤＣ変換用制御ＩＣ３２が動作状態となるようにする（図１３の右図）。他方、コネクタ部９’から携帯電話機７を抜いたらトランジスタＱ２がオンして昇圧ＤＣ・ＤＣ変換用制御ＩＣ３２が動作停止状態となるようにする（図１３の左図）。このような構成によっても、ユーザが気遣うことなく蓄電部４の放電抑制を図ることができる。
【００５１】
図９に戻って説明を続ける。ステップアップ回路部１００ａの後段には、照明・非常音回路部１００ｂが配置されている。すなわち、照明ＬＥＤ５が、ステップアップ回路部１００ａで昇圧された電流によって駆動されるようになっている。また、ブザー４６が蓄電部４に直接繋がれている。もちろん、ステップアップ回路部１００ａで昇圧された電流によってブザー４６を駆動するようにしてもよい。図９の回路図において、ブザー４６は、発振回路等を含むものとして表わしている。また、照明ＬＥＤ５用のスイッチＳ１と、ブザー４６用のスイッチＳ２とは個別に設けられている。既に説明したように、これらのスイッチＳ１，Ｓ２は、共通の操作部１２（図１等参照）によってオン・オフが切り替えられる。また、照明・非常音回路部１００ｂは、携帯電話機に接続される出力端子と並列になっているので、携帯電話機の充電中でも照明ＬＥＤ５又はブザー４６の使用が可能である。
【００５２】
以上のようなソーラー式の充電器１は、常に携帯することができ、太陽光等の光に当てておけば、自然に発電されてその電気が蓄電部４に蓄電される。そして携帯電話機の充電が必要になった場合、図２に示すように、充電器１と携帯電話機７とを接続すれば、この充電器１の蓄電部４に蓄電されている電気が、ソケット９を経て、携帯電話機７の図示しない充電池に、両者の電位差に基づき簡単に充電される。最近の携帯電話機７は、様々な付加機能（例えばバイブレータ、時間設定アラーム、動画表示、デジタルカメラ等）により相当の電力を消費し、その充電池の消耗（バッテリー切れ）も早い傾向があるが、この充電器１を携帯していれば、特に電源がなくとも、太陽発電によりいつでも、どこでも携帯電話機に充電ができ、安心感がある。
【００５３】
携帯電話機７への充電が終われば、携帯電話機７の充電端子部８から機種別コネクタ４０（，４２，４４）抜き、さらに、充電器１のソケット９からリード１８を抜いておく。前述したごとく、リード１８をソケット９から抜くことにより、ＤＣ・ＤＣ変換用制御ＩＣ３２（図９参照）が動作停止状態になって蓄電部４の放電が抑制されるからである。また、カバー１０を閉じておけば、水等からソケット９を保護できる。
【００５４】
夜間や暗所で明かりが欲しい時には、操作部１２をスライドさせることにより、スイッチＳ１が閉じ（オンとなり）、照明ＬＥＤ５が点灯する。つまり、この充電器１を携帯ライトとして使用することができる。例えば、突発的に起こる災害時の暗闇の中で、非常用携帯照ライトとして、避難路を捜したり、他人を救出したり、また携帯電話機７との関係では、暗闇の中のどこかにある携帯電話機７を捜すことに用いたりすることができる。なお、照明ＬＥＤ５として、その直列抵抗で発熱消費される電力を低減して、照明に使用される電力を増大する（照明効果を向上する）ために、ＬＥＤチップを直列に多段接続したスタックＬＥＤを使用してもよい。また、ブザー４６を設けているので、災害時にどこかに閉じ込められた場合の救援要請用途、列車内等での痴漢報知用途等、様々なトラブルをサポートする機能もある。
【００５５】
以上のように、この充電器１は、ソーラーパネル３で発電されてボディ２内の蓄電部４に蓄電された電気により、ソケット９、リード１８及び機種別コネクタ４０（，４２，４４）を介しての携帯電話機７への充電機能と、照明ＬＥＤ５への通電による照明発光機能との両機能を有して、充電器兼携帯ライトの役割を果たす。照明ＬＥＤ５は、この充電器１の蓄電部４を電源とするため、その蓄電部４の電圧が所定の下限値より下がれば、発光ダイオードの機能として発光しなくなる（発光がかなり暗くなることも含め）。
【００５６】
つまり、操作部１２を照明ＬＥＤ５のオンの位置に切り替えても、照明ＬＥＤ５が発光しないのであるが、このことを利用すれば、携帯電話機７に充電する前に、操作部１２を操作して、照明ＬＥＤ５が点灯しない状態を、充電器１の蓄電が不充分とする警告表示とすることができる。言い換えれば、携帯電話機に対する充電が不適と判断されたこととなり、その場合はこの充電器１を太陽光等に当てて蓄電し、操作部１２を操作して照明ＬＥＤ５が点灯すれば、携帯電話機への充電が可能状態にあると判断することができる。この場合の照明ＬＥＤ５は、照明のための光源と、充電可能か否かを表示する充電可否表示部との双方の機能を果たす相乗効果が得られる。
【００５７】
さらに、ボディ２にはソーラーパネル３での発電によりボディ３内の蓄電部４に蓄電された蓄電量の目安を表示する充電適否表示用の発光素子を設けることもできる。すなわち、図９の回路図に示すごとく、蓄電部４の起電力で直接に駆動されるように充電適否表示用ＬＥＤ２３を照明ＬＥＤ５と並列に設けるとともに、その充電適否表示用ＬＥＤ２３のオン・オフを切り替えるスイッチを、照明ＬＥＤ５をオン・オフするスイッチＳ１に兼用させることができる。すなわち、スライド式の操作部１２を照明ＬＥＤ５のオンの位置に移動させると、スイッチＳ１がオンして照明ＬＥＤ５と充電適否表示用ＬＥＤ２３との両方が点灯する。
【００５８】
充電適否表示用ＬＥＤ２３は、発光電圧（順方向電圧ＶＦ）が照明ＬＥＤ５より低い規格のものであって、照明ＬＥＤ５が例えば白色系とすれば、赤色系や緑色系のものが選択される。照明用と充電適否表示用とで、ＬＥＤの発光色が異なることにより、警告表示の意味合いを強めることができる。
【００５９】
上記のようにすれば、スイッチＳ１もその操作部１２も最小限（１個ずつ）で足り、回路構成が単純になるとともに、ボディ２の外面に表れる構成が簡素になり、設計の自由度が増すとともに、外観形態がスマートなものとなる。なお、充電適否表示用ＬＥＤ２３は、図５に示すごとく、照明ＬＥＤ５から離れた位置に設けてもよいし、照明ＬＥＤ５にごく近接させて設けてもよい。
【００６０】
図９のような回路構成においては、蓄電部４の電圧が低下してくると、照明ＬＥＤ５よりも先に充電適否表示用ＬＥＤ２３が点灯しなくなる。というのも、照明ＬＥＤ５は、ステップアップ回路部１００ａの出力電圧で駆動されるが、充電適否表示用ＬＥＤ２３は蓄電部４の起電力で直接駆動されるからである。図９の回路図に示すごとく、本充電器１は、ソケット９にリード１８が挿し込まれていないときでも、照明ＬＥＤ５への通電を行なうスイッチＳＷ１がオンされた場合には、蓄電部４の電圧が照明・非常音回路部１００ｂの抵抗Ｒ３及びダイオードＤ５の中点電位の形でトランジスタＱ２に印加され、トランジスタＱ２がオンして昇圧ＤＣ・ＤＣ変換用制御ＩＣ３２が動作を開始するようになっている。この結果、照明ＬＥＤ５は、常にステップアップ回路部１００ａの出力電圧で駆動する。また、抵抗Ｒ４，Ｒ５及びダイオードＤ４は、充電適否表示用ＬＥＤ２３が先に点灯しなくなるように回路を構成する調整の役割がある。
【００６１】
（第二実施形態）
本発明の充電器には、図１２に示すような電気回路２００を採用することも可能である。電気回路２００は、ステップアップ回路部２００ａ（昇圧回路部）を備えており、ステップアップ昇圧によって、一定の充電電圧を得るようにしている点は、先の実施形態と同様である。図１２から分かるように、蓄電部４’としてポリスイッチ（過電流過熱保護素子）付きのニッケル水素二次電池を採用し、過充電の防止を図っている。ステップアップ回路部２００ａにおいて、昇圧ＤＣ・ＤＣ変換用制御ＩＣ５１（トレックスセミコンダクター社製ＸＣ６３６８Ｂ）は、電界効果トランジスタＴｒ１をスイッチングする。インダクタＬ１（チョークコイル）の分岐直流入力が断続スイッチングされ、これに基づいてインダクタＬ１に誘導電流を発生させるとともに、その誘導電流に基づくリップル電圧が外部直流の入力電圧に重畳された形で出力される。
【００６２】
ダイオードＤ２及び出力経路と並列接続されたコンデンサＣ５，Ｃ６，Ｃ７，Ｃ８は、インダクタＬ１からの出力電圧を整流及び平滑化することにより外部直流よりも昇圧された直流を生成し、これを駆動源直流として出力する。また、抵抗Ｒ１，Ｒ２の分岐電圧によってトランジスタＴｒ２がオンされ、ＤＣ・ＤＣ変換用制御ＩＣ５１のＶＤＤ端子に電源電圧が導かれるようになっている。また、抵抗Ｒ６，Ｒ７の分岐電圧がＤＣ・ＤＣ変換用制御ＩＣ５１にフィードバックされており、蓄電部４の電圧低下が閾値より大きくなったときに昇圧動作停止がなされる。
【００６３】
また、ステップアップ回路部２００ａには、保護回路が設けてある。すなわち、抵抗Ｒ４に流れる電流が大きくなると、トランジスタＴｒ３，Ｔｒ４によってトランジスタＴｒ２がオフする。これにより、給電が遮断された昇圧ＤＣ・ＤＣ変換用制御ＩＣ５１は、動作停止に至る。つまり、抵抗Ｒ４は、電流検出用のシャント抵抗である。
【００６４】
また、電気回路２００は、照明ＬＥＤ５’及び充電適否表示用ＬＥＤ２３’、並びにそれらをオン・オフするためのスイッチＳＷ１を含む照明回路部２００ｂを有する。照明回路部２００ｂには、照明ＬＥＤ５’と充電適否表示用ＬＥＤ２３’と、それらをオン・オフするスイッチＳＷ１が設けられ、充電適否表示用ＬＥＤ２３’を制御する回路がトランジスタＴｒ５，Ｔｒ６，Ｔｒ７、抵抗Ｒ８〜Ｒ１６及びコンデンサＣ９によって構成されている。
【００６５】
照明回路部２００ｂは、スイッチＳＷ１（操作部１２）をオンしたとき、蓄電部４’の蓄電量が十分であれば照明ＬＥＤ５’のみが点灯し、蓄電部４’の蓄電量が不足しているときには照明ＬＥＤ５’及び充電適否表示用ＬＥＤ２３’が点灯するように構成されている。照明ＬＥＤ５’と充電適否表示用ＬＥＤ２３’とは、蓄電部４’に並列に接続されている。充電適否表示用ＬＥＤ２３’側の通電経路には、トランジスタＴｒ７が配置されている。このトランジスタＴｒ７は、蓄電部４’の電圧が閾値以下となった場合にオンする。したがって、蓄電部４’の蓄電量が十分なときは、スイッチＳＷ１をオンしても照明ＬＥＤ５’のみが点灯する。他方、蓄電部４’の蓄電量が不足してくると、トランジスタＴｒ７がオンして充電適否表示用ＬＥＤ２３’側にも電気が流れるようになるので、スイッチＳＷ１をオンすると、照明ＬＥＤ５’と充電適否表示用ＬＥＤ２３’の両方が点灯する。これにより、ユーザは蓄電部４’の蓄電量が不足していることを、照明ＬＥＤ５’の点灯操作によって知ることができる。また、製造側の利点として、充電適否表示用ＬＥＤ２３’に専用のスイッチを設けずに済むので、部品点数削減によるコスト低減効果を見込める。
【００６６】
トランジスタＴｒ７のオン・オフは、蓄電部４’の電圧をモニタする抵抗Ｒ１１，Ｒ１２及びトランジスタＴｒ６によって制御される。すなわち、蓄電部４’の直流電圧がインダクタＬ１より上流で分岐されて照明回路部２００ｂに導かれ、抵抗Ｒ１１と抵抗Ｒ１２に流れる。トランジスタＴｒ６のベースには、抵抗Ｒ１１と抵抗Ｒ１２の分圧が印加されるので、抵抗Ｒ１１と抵抗Ｒ１２の大きさを適切に定めることにより、蓄電部４’の蓄電量をモニタできる。たとえば、図１２の実施形態では、蓄電部４’としてニッケル水素二次電池（２．４Ｖ）、トランジスタＴｒ６としてカットオフが０．５Ｖ〜０．６Ｖ程度のシリコントランジスタを使用している。そして、蓄電部４’の電圧が満充電の約６０％に低下することによって、トランジスタＴｒ６がオフ、トランジスタＴｒ７がオンになって、スイッチＳＷ１をオンしたときに充電適否表示用ＬＥＤ２３’が点灯可能となるように、抵抗Ｒ１１，Ｒ１２の大きさを調整している。
【００６７】
また、蓄電部４’の起電力が低下してトランジスタＴｒ６がいったんオフすると、トランジスタＴｒ５がオンに切り替わり、抵抗Ｒ１０を介してトランジスタＴｒ６のベースが接地される。そのため、蓄電部４’の電圧が多少上昇したとしても、トランジスタＴｒ６はしばらくオフに維持されて、充電適否表示用ＬＥＤ２３’は点灯し得る。すなわち、照明回路部２００ｂはヒステリシス特性を有する。具体的には、充電適否表示用ＬＥＤ２３’の点灯が許容される閾値電圧まで蓄電部４’の起電力が低下した状態から、ソーラーパネル３に光を照射してその蓄電部４’の蓄電を行なった場合に、蓄電部４’の起電力が上記した閾値電圧よりも一定値以上高くなるまで、充電適否表示用ＬＥＤ２３’が点灯し得る状態が続くように構成されている。ユーザは、充電適否表示用ＬＥＤ２３’が点灯するか否かを見て、点灯しなければ携帯電話機の充電を行なう。したがって、本発明のような回路によれば、蓄電部４’の蓄電量が不十分な状態で携帯電話機の充電が行なわれることを予防できる。このことは、蓄電部４’の劣化防止に寄与する。なお、コンデンサＣ９はノイズ除去の役割を担うものである。
【００６８】
なお、経済性を重視する場合には、図１２の回路を簡素化することも可能である。具体的には、図１４に示すような回路構成を採用し得る。図１４の電気回路３００は、図１２の実施形態から保護回路の部分を省略するとともに、平滑化コンデンサの数を減じたものである。基本的な構成・機能は、図１２と図１４とで相違ない。
【図面の簡単な説明】
【００６９】
【図１】この発明の一実施例である携帯電話機用充電器の斜視図。
【図２】携帯電話機との接続部品を含めた充電器の模式図。
【図３】その充電器の携帯電話機への接続形態を示す説明図。
【図４】電池カバーを開けた状態の背面図。
【図５】ＬＥＤの配置形態を説明する模式図。
【図６】操作部のある側とは反対側の側面図。
【図７】カバーを廃した充電器の模式図。
【図８】図１の充電器の回路構成を簡略に示すブロック図。
【図９】図８をさらに詳しく示す回路図。
【図１０】交流電源が使用可能な構成の回路図。
【図１１】ソケットの構造を示す模式図。
【図１２】第二実施形態の回路図。
【図１３】携帯電話機を充電器に直接接続する形態の模式図。
【図１４】図１２の回路を簡素化した回路図。
【符号の説明】
【００７０】
１，１’，１’’  携帯電話機用充電器
２  ボディ
２ｐ  通気孔
２ｋ  電池収容部
３  ソーラーパネル
４，４’  蓄電部
５  照明ＬＥＤ
８  充電端子部
７  携帯電話機
９  ソケット
９’  コネクタ部
１２  操作部（共通スイッチ）
１８  リード（接続電気部品）
３２  昇圧ＤＣ・ＤＣ変換用制御ＩＣ
４０，４２，４４  機種別コネクタ（接続電気部品）
４６  ブザー（非常音出力器）
１００，２００，３００  電気回路
１００ａ，２００ａ  ステップアップ回路部（昇圧回路部）
【図１】
2006087151.tif 000003
【図２】
2006087151.tif 000004
【図３】
2006087151.tif 000005
【図４】
2006087151.tif 000006
【図５】
2006087151.tif 000007
【図６】
2006087151.tif 000008
【図７】
2006087151.tif 000009
【図８】
2006087151.tif 000010
【図９】
2006087151.tif 000011
【図１０】
2006087151.tif 000012
【図１１】
2006087151.tif 000013
【図１２】
2006087151.tif 000014
【図１３】
2006087151.tif 000015
【図１４】
2006087151.tif 000016
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディに内蔵され、前記蓄電部から電力の供給を受けて非常用の音をスイッチ操作により発生させる非常音出力器と、
前記ボディの端部に設けられ、前記蓄電部から電力の供給を受けてスイッチ操作により発光する照明用発光素子と、
前記非常音出力器の動作をオンオフするスイッチと前記照明用発光素子への通電をオンオフするスイッチとに兼用された操作部と、
を備えたことを特徴とする携帯電話機用充電器。
【請求項２】
前記操作部は、前記ボディの側面に沿ってスライドするスライド式の操作部によって構成されている請求項１記載の携帯電話機用充電器。
【請求項３】
前記ボディに開閉式の電池収容部が設けられ、その電池収容部に前記蓄電部を構成する二次電池が着脱可能に収容されている請求項１又は２記載の携帯電話機用充電器。
【請求項４】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディの端部に設けられ、前記蓄電部から電力の供給を受けて発光する照明用発光素子と、
前記照明用発光素子への通電をオンオフするスイッチと、
前記ソケットに前記携帯電話機が接続されているときに前記スイッチがオンされた場合でも、前記携帯電話機への充電を継続しつつ前記照明用発光素子を点灯するように構成された電気回路と、
を備えたことを特徴とする携帯電話機用充電器。
【請求項５】
前記電気回路は、前記ソケットに前記携帯電話機を接続した状態および前記スイッチがオンの状態の少なくとも一方において前記蓄電部の電圧を昇圧する動作状態となり、前記ソケットから前記携帯電話機が電気的に切り離され、かつ前記スイッチがオフの状態のときには、前記動作状態よりも低消費電流の動作停止状態となるように構成された昇圧回路部を含む請求項４記載の携帯電話機用充電器。
【請求項６】
前記昇圧回路部は、インダクタの断続スイッチングに基づいて誘導電流を発生させるとともに、その誘導電流に基づくリップル電圧を外部直流の入力電圧に重畳させた形で出力するステップアップ回路部として構成され、
前記ソケットに前記携帯電話機を直接または前記電気接続部品であるリードを介して接続するか、前記スイッチをオンすることにより、前記インダクタのスイッチングを担う昇圧ＤＣ・ＤＣ変換用制御ＩＣが前記スイッチング動作を行なう動作状態となる一方、
前記ソケットから前記携帯電話機または前記リードを離脱させ、かつ前記スイッチをオフしたときには、前記昇圧ＤＣ・ＤＣ変換用制御ＩＣが低消費電力のスタンバイモードに切り換わるように構成されている請求項５記載の携帯電話機用充電器。
【請求項７】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記蓄電部の電圧を昇圧して出力する昇圧回路部を含む電気回路と、
前記ボディの端部に設けられ、前記昇圧回路部で昇圧された電圧で駆動する照明用発光素子と、
前記ボディに設けられ、前記昇圧回路部で昇圧されていない前記蓄電部の電圧が供給され、前記蓄電部に蓄電された蓄電量の目安を表示する充電適否表示用発光素子とを備え、
前記電気回路は、前記蓄電部の蓄電量が十分あるときは前記照明用発光素子と前記充電適否表示用発光素子との両方が点灯可能であり、前記蓄電部の蓄電量が低下してきたら前記照明用発光素子よりも先に前記充電適否表示用発光素子が点灯不能となるように構成されていることを特徴とする携帯電話機用充電器。
【請求項８】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディに設けられ、前記蓄電部の起電力がある閾値電圧を下回ることを条件に点灯可能となり、前記蓄電部に蓄電された蓄電量の目安を表示する充電適否表示用発光素子と、
を備えたことを特徴とする携帯電話機用充電器。
【請求項９】
前記蓄電部の電圧を昇圧して出力する昇圧回路部を含む電気回路と、
前記ボディの端部に設けられ、前記昇圧回路部で昇圧された電圧が供給される照明用発光素子と、
前記充電適否表示用発光素子の通電をオンオフすると同時に前記照明用発光素子の通電をオンオフするスイッチとをさらに備え、
前記電気回路は、前記充電適否表示用発光素子と前記照明用発光素子とが並列接続されて、それぞれに前記昇圧回路部で昇圧した電圧を供給するように構成される一方、前記蓄電部の蓄電量をモニタする回路を含み、該回路によって前記スイッチのオンオフとは別に前記充電適否表示用発光素子への通電のオンオフを制御するように構成されている請求項８記載の携帯電話機用充電器。
【請求項１０】
前記蓄電部の蓄電量をモニタする回路は、前記蓄電部をソーラー発電にて蓄電して前記蓄電部の起電力が回復してきたときに、前記蓄電部の起電力が前記閾値よりも一定電圧以上高くなるまで前記充電適否表示用発光素子が点灯し得る状態が続くように構成されている請求項９記載の携帯電話機用充電器。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディの端部に設けられ、前記蓄電部から電力の供給を受けて発光する照明用発光素子と、
前記照明用発光素子への通電をオンオフするスイッチと、
前記ソケットに前記携帯電話機が接続されているときに前記スイッチがオンされた場合でも、前記携帯電話機への充電を継続しつつ前記照明用発光素子を点灯するように構成された電気回路と、
を備えたことを特徴とする携帯電話機用充電器。
【請求項２】
前記電気回路は、前記ソケットに前記携帯電話機を接続した状態および前記スイッチがオンの状態の少なくとも一方において前記蓄電部の電圧を昇圧する動作状態となり、前記ソケットから前記携帯電話機が電気的に切り離され、かつ前記スイッチがオフの状態のときには、前記動作状態よりも低消費電流の動作停止状態となるように構成された昇圧回路部を含む請求項１記載の携帯電話機用充電器。
【請求項３】
前記昇圧回路部は、インダクタの断続スイッチングに基づいて誘導電流を発生させるとともに、その誘導電流に基づくリップル電圧を外部直流の入力電圧に重畳させた形で出力するステップアップ回路部として構成され、
前記ソケットに前記携帯電話機を直接または前記電気接続部品であるリードを介して接続するか、前記スイッチをオンすることにより、前記インダクタのスイッチングを担う昇圧ＤＣ・ＤＣ変換用制御ＩＣが前記スイッチング動作を行なう動作状態となる一方、
前記ソケットから前記携帯電話機または前記リードを離脱させ、かつ前記スイッチをオフしたときには、前記昇圧ＤＣ・ＤＣ変換用制御ＩＣが低消費電力のスタンバイモードに切り換わるように構成されている請求項２記載の携帯電話機用充電器。
【請求項４】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記蓄電部の電圧を昇圧して出力する昇圧回路部を含む電気回路と、
前記ボディの端部に設けられ、前記昇圧回路部で昇圧された電圧で駆動する照明用発光素子と、
前記ボディに設けられ、前記昇圧回路部で昇圧されていない前記蓄電部の電圧が供給され、前記蓄電部に蓄電された蓄電量の目安を表示する充電適否表示用発光素子とを備え、
前記電気回路は、前記蓄電部の蓄電量が十分あるときは前記照明用発光素子と前記充電適否表示用発光素子との両方が点灯可能であり、前記蓄電部の蓄電量が低下してきたら前記照明用発光素子よりも先に前記充電適否表示用発光素子が点灯不能となるように構成されていることを特徴とする携帯電話機用充電器。
【請求項５】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディに設けられ、前記蓄電部の起電力がある閾値電圧を下回ることを条件に点灯可能となり、前記蓄電部に蓄電された蓄電量の目安を表示する充電適否表示用発光素子と、
を備えたことを特徴とする携帯電話機用充電器。
【請求項６】
前記蓄電部の電圧を昇圧して出力する昇圧回路部を含む電気回路と、
前記ボディの端部に設けられ、前記昇圧回路部で昇圧された電圧が供給される照明用発光素子と、
前記充電適否表示用発光素子の通電をオンオフすると同時に前記照明用発光素子の通電をオンオフするスイッチとをさらに備え、
前記電気回路は、前記充電適否表示用発光素子と前記照明用発光素子とが並列接続されて、それぞれに前記昇圧回路部で昇圧した電圧を供給するように構成される一方、前記蓄電部の蓄電量をモニタする回路を含み、該回路によって前記スイッチのオンオフとは別に前記充電適否表示用発光素子への通電のオンオフを制御するように構成されている請求項５記載の携帯電話機用充電器。
【請求項７】
前記蓄電部の蓄電量をモニタする回路は、前記蓄電部をソーラー発電にて蓄電して前記蓄電部の起電力が回復してきたときに、前記蓄電部の起電力が前記閾値よりも一定電圧以上高くなるまで前記充電適否表示用発光素子が点灯し得る状態が続くように構成されている請求項６記載の携帯電話機用充電器。
【手続補正書】
【提出日】平成17年9月5日(2005.9.5)
【手続補正１】
【補正対象書類名】特許請求の範囲
【補正対象項目名】請求項５
【補正方法】変更
【補正の内容】
【請求項５】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディに設けられ、前記蓄電部の起電力がある閾値電圧を下回ることを条件に点灯可能となり、前記蓄電部に蓄電された蓄電量の目安を表示する充電適否表示用発光素子と、を備えると共に、
前記蓄電部の電圧を昇圧して出力する昇圧回路部を含む電気回路と、
前記ボディの端部に設けられ、前記昇圧回路部で昇圧された電圧が供給される照明用発光素子と、
前記充電適否表示用発光素子の通電をオンオフすると同時に前記照明用発光素子の通電をオンオフするスイッチとをさらに備え、
前記電気回路は、前記充電適否表示用発光素子と前記照明用発光素子とが並列接続されて、それぞれに前記昇圧回路部で昇圧した電圧を供給するように構成される一方、前記蓄電部の蓄電量をモニタする回路を含み、該回路によって前記スイッチのオンオフとは別に前記充電適否表示用発光素子への通電のオンオフを制御するように構成されていることを特徴とする携帯電話機用充電器。
【手続補正２】
【補正対象書類名】特許請求の範囲
【補正対象項目名】請求項６
【補正方法】変更
【補正の内容】
【請求項６】
前記蓄電部の蓄電量をモニタする回路は、前記蓄電部をソーラー発電にて蓄電して前記蓄電部の起電力が回復してきたときに、前記蓄電部の起電力が前記閾値よりも一定電圧以上高くなるまで前記充電適否表示用発光素子が点灯し得る状態が続くように構成されている請求項５記載の携帯電話機用充電器。
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記蓄電部の電圧を昇圧して出力する昇圧回路部を含む電気回路と、
前記ボディの端部に設けられ、前記昇圧回路部で昇圧された電圧で駆動する照明用発光素子と、
前記ボディに設けられ、前記昇圧回路部で昇圧されていない前記蓄電部の電圧が供給され、前記蓄電部に蓄電された蓄電量の目安を表示する充電適否表示用発光素子とを備え、
前記電気回路は、前記蓄電部の蓄電量が十分あるときは前記照明用発光素子と前記充電適否表示用発光素子との両方が点灯可能であり、前記蓄電部の蓄電量が低下してきたら前記照明用発光素子よりも先に前記充電適否表示用発光素子が点灯不能となるように構成されていることを特徴とする携帯電話機用充電器。
【請求項２】
携帯電話機の充電池が消耗したときに携帯電話機に接続されて該充電池に電気を充電する携帯電話機用充電器であって、
携帯可能なボディと、
前記ボディに設けられたソーラー発電用のソーラーパネルと、
前記ボディに内蔵され、前記ソーラーパネルで発電された電気を蓄える蓄電部と、
前記ボディに形成されて前記携帯電話機の充電用の端子部が着脱可能に挿し込まれ、又は前記蓄電部と前記携帯電話機の充電池とを接続する電気接続部品が着脱可能に挿し込まれるソケットと、
前記ボディに設けられ、前記蓄電部の起電力がある閾値電圧を下回ることを条件に点灯可能となり、前記蓄電部に蓄電された蓄電量の目安を表示する充電適否表示用発光素子と、を備えると共に、
前記蓄電部の電圧を昇圧して出力する昇圧回路部を含む電気回路と、
前記ボディの端部に設けられ、前記昇圧回路部で昇圧された電圧が供給される照明用発光素子と、
前記充電適否表示用発光素子の通電をオンオフすると同時に前記照明用発光素子の通電をオンオフするスイッチとをさらに備え、
前記電気回路は、前記充電適否表示用発光素子と前記照明用発光素子とが並列接続されて、それぞれに前記昇圧回路部で昇圧した電圧を供給するように構成される一方、前記蓄電部の蓄電量をモニタする回路を含み、該回路によって前記スイッチのオンオフとは別に前記充電適否表示用発光素子への通電のオンオフを制御するように構成されていることを特徴とする携帯電話機用充電器。
【請求項３】
前記蓄電部の蓄電量をモニタする回路は、前記蓄電部をソーラー発電にて蓄電して前記蓄電部の起電力が回復してきたときに、前記蓄電部の起電力が前記閾値よりも一定電圧以上高くなるまで前記充電適否表示用発光素子が点灯し得る状態が続くように構成されている請求項２記載の携帯電話機用充電器。